(57)【要約】【課題】カメラ用露光調整装置の小型化を図る。【解決手段】露光用の開口部を画定する基板１１，２０、基板に揺動自在に設けられ開口部１１ａ，２０ａから退避した位置と開口部１１ａ，２０ａに臨む位置とを移動する羽根部材３０、羽根部材３０を駆動する電磁アクチュエータ４０を備える構成において、開口部２０ａ，１１ａは、撮像素子の撮像面に基づいて略矩形形状に形成され、羽根部材３０は、開口部１１ａ，２０ａに臨む位置にあるとき少なくとも開口部１１ａ，２０ａを覆うように略矩形の外輪郭３０ｃをなすように形成されている。これにより、従来のような真円形状の開口部に比べて、羽根の外輪郭を小さくすることができ、羽根部材が開口部から退避した位置にあるときに収容される領域も従来に比べて狭くすることができ、装置を幅狭化、小型化することができる。【選択図】  図３
2005106970.tif 000002
【特許請求の範囲】
【請求項１】
露光用の開口部を画定する基板と、前記基板に揺動自在に設けられ前記開口部から退避した位置と前記開口部に臨む位置とを移動する羽根部材と、前記羽根部材を駆動する駆動源と、を備え、
前記開口部は、撮像素子の撮像面に基づいて略矩形形状に形成され、
前記羽根部材は、前記開口部に臨む位置にあるとき少なくとも前記開口部を覆うように、略矩形の外輪郭をなすように形成されている、
ことを特徴とするカメラ用露光調整装置。
【請求項２】
前記基板は、前記羽根部材を揺動自在に収容する羽根室及び露光用の開口部を画定するべく、光軸方向に離隔して配列された二つのプレートを有し、
前記二つのプレートのうち少なくとも撮像素子側に位置するプレートの開口部は、撮像素子の撮像面に基づいて略矩形形状に形成されている、
ことを特徴とする請求項１記載のカメラ用露光調整装置。
【請求項３】
前記羽根部材は、前記開口部を開閉するシャッタ羽根である、
ことを特徴とする請求項１又は２に記載のカメラ用露光調整装置。
【請求項４】
前記羽根部材は、前記開口部を所定の開口面積に絞る絞り開口をもつ絞り羽根である、
ことを特徴とする請求項１又は２に記載のカメラ用露光調整装置。
【請求項５】
前記羽根部材は、前記開口部を通過する光量を減少させるＮＤフィルタを含むＮＤフィルタ羽根である、
ことを特徴とする請求項１又は２に記載のカメラ用露光調整装置。
【請求項６】
前記ＮＤフィルタ羽根は、前記開口部よりも大きい略矩形形状の開口と、前記開口を覆うように接合されたＮＤフィルタと、を含む、
ことを特徴とする請求項５記載のカメラ用露光調整装置。
【請求項７】
前記羽根部材は、前記開口部を開閉するシャッタ羽根、前記開口部を所定の開口面積に絞る絞り開口をもつ絞り羽根、前記開口部を通過する光量を減少させるＮＤフィルタを含むＮＤフィルタ羽根のうち、少なくとも二つの羽根を含む、
ことを特徴とする請求項１ないし６いずれかに一つに記載のカメラ用露光調整装置。
【発明の詳細な説明】
【技術分野】
【０００１】
本発明は、露光用の開口部に対して開閉あるいは絞り等を行なうカメラ用露光調整装置に関し、特に、ＣＣＤ等の撮像素子を備えたデジタルカメラ等に適用されるカメラ用露光調整装置に関する。
【背景技術】
【０００２】
デジタルカメラ等に搭載される従来のカメラ用露光調整装置としては、露光用の開口部を画定する地板及び裏板、地板と裏板とで画定される羽根室内において揺動自在に設けられたシャッタ羽根あるいは絞り羽根、これらシャッタ羽根あるいは絞り羽根を駆動する電磁駆動源等を備えた、いわゆるカメラ用シャッタ装置あるいはカメラ用絞り装置等が知られている。
この装置において、地板及び裏板に形成される開口部は、矩形形状をなすＣＣＤ等の撮像素子の撮像面において、その対角線上の角部に達する光線より導かれる像高を基準に決定される寸法を略半径とする（対角線の長さを略直径とする）真円に形成されている。
【０００３】
そして、シャッタ羽根あるいは絞り羽根は、閉じ動作又は絞り動作により開口部に臨むときその開口部を完全に覆う面積をもつように外輪郭が略円形状に形成されており、又、開き動作又は非絞り動作により開口部から退避するときシャッタ羽根あるいは絞り羽根の外縁部がその開口部から完全に退避するように、すなわち退避位置にあるシャッタ羽根あるいは絞り羽根を収容するように地板及び裏板が幅広く形成されている（例えば、特許文献１、特許文献２、特許文献３、特許文献４参照）。
【０００４】
【特許文献１】特開２００１−１１７１３５号公報
【特許文献２】特開２００２−１３９７６８号公報
【特許文献３】特開２００３−５２５１号公報
【特許文献４】特開２００３−１３１２８７号公報
【発明の開示】
【発明が解決しようとする課題】
【０００５】
ところで、上記従来のカメラ用露光調整装置においては、地板及び裏板の開口部は、その径寸法が撮像素子の対角線に基づいて真円に形成されているため、矩形形状をなす撮像素子の撮像面から外側に逸脱した領域まで光線が進入できるようになっている。しなしながら、この逸脱した領域に進入する光線は、撮像素子での撮影に何ら寄与するものではないため本来的に不要な領域である。
【０００６】
一方、シャッタ羽根あるいは絞り羽根は、開口部に臨む位置にあるとき真円の開口部を完全に覆えるようにより大きな外輪郭に形成されており、又、こえらの羽根が退避位置に移動する際にその外縁部が開口部から完全に退避できるように地板及び裏板が幅広く形成されているため、装置の小型化を図るのが困難である。
【０００７】
本発明は、上記の事情に鑑みて成されたものであり、その目的とするところは、露光用の開口部を画定する基板に対してシャッタ羽根，絞り羽根等の露光を調整する羽根部材を揺動自在に設ける構成において、撮像素子に入射する水平方向及び垂直方向の光線を考慮して開口部の形状を決定することで、装置の幅狭化、小型化等を図り、特に小型のデジタルカメラ等に好適なカメラ用露光調整装置を提供することにある。
【課題を解決するための手段】
【０００８】
本発明のカメラ用露光調整装置は、露光用の開口部を画定する基板と、基板に揺動自在に設けられ開口部から退避した位置と開口部に臨む位置とを移動する羽根部材と、羽根部材を駆動する駆動源とを備え、上記開口部は、撮像素子の撮像面に基づいて略矩形形状に形成され、上記羽根部材は、開口部に臨む位置にあるとき少なくとも開口部を覆うように略矩形の外輪郭をなすように形成されている、ことを特徴としている。
この構成によれば、開口部が略矩形形状に形成されかつ羽根部材も開口部を覆う領域が略矩形形状に形成されているため、従来のような真円形状の開口部に比べて、羽根の外輪郭を小さくすることができる。したがって、羽根部材が、駆動源により駆動されて開口部から退避した位置にあるときに収容される領域も、従来に比べて狭くすることができ、装置を幅狭化、小型化することができる。
【０００９】
上記構成において、基板は、羽根部材を揺動自在に収容する羽根室及び露光用の開口部を画定するべく光軸方向に離隔して配列された二つのプレートを有し、二つのプレートのうち少なくとも撮像素子側に位置するプレートの開口部は、撮像素子の撮像面に基づいて略矩形形状に形成されている、構成を採用することができる。
この構成によれば、羽根室を画定する二つのプレートのうち、撮像素子側のプレートに形成された略矩形形状の開口部により、撮像素子に向けて進入する水平方向及び垂直方向の被写体光の光線範囲が規制される。したがって、二つのプレートのうち、前方のプレートに形成される開口部は、撮像素子側の開口部と同様に矩形形状であってもよく、撮像素子側の開口部と同等又は大きめの円形状の開口部であってもよい。
【００１０】
上記構成において、羽根部材は、開口部を開閉するシャッタ羽根である、構成を採用することができる。
この構成によれば、シャッタ羽根は、駆動源により駆動されて、開口部から退避した開き位置と開口部に臨む閉じ位置との間を移動する。すなわち、真円形状の開口部をもつ従来のものに比べて、幅狭で、小型のカメラ用光量調整装置（いわゆるカメラ用シャッタ装置）が得られる。
【００１１】
上記構成において、羽根部材は、開口部を所定の開口面積に絞る絞り開口をもつ絞り羽根である、構成を採用することができる。
この構成によれば、絞り羽根は、駆動源により駆動されて、開口部から退避した非絞り位置と開口部に臨む絞り位置との間を移動する。すなわち、真円形状の開口部をもつ従来のものに比べて、幅狭で、小型のカメラ用光量調整装置（いわゆるカメラ用絞り装置）が得られる。
【００１２】
上記構成において、羽根部材は、開口部を通過する光量を減少させるＮＤフィルタを含むＮＤフィルタ羽根である、構成を採用することができる。
この構成によれば、ＮＤフィルタ羽根は、駆動源により駆動されて、開口部から退避した非調整位置と開口部に臨む調整位置との間を移動する。すなわち、真円形状の開口部をもつ従来のものに比べて、幅狭で、小型のカメラ用光量調整装置が得られる。
【００１３】
上記構成において、ＮＤフィルタ羽根は、開口部よりも大きい略矩形形状の開口と、開口を覆うように接合されたＮＤフィルタと、を含む構成を採用することができる。
この構成によれば、ＮＤフィルタ羽根が開口部に臨む位置にあるとき、ＮＤフィルタの作用のみにより、開口部を通過する光量が所定レベルに減少させられる。
【００１４】
上記構成において、羽根部材は、開口部を開閉するシャッタ羽根、開口部を所定の開口面積に絞る絞り開口をもつ絞り羽根、開口部を通過する光量を減少させるＮＤフィルタを含むＮＤフィルタ羽根のうち、少なくとも二つの羽根を含む、構成を採用することができる。
この構成によれば、シャッタ羽根及び絞り羽根を備える場合は、絞り動作と共にシャッタ動作が行なわれ、シャッタ羽根及びＮＤフィルタ羽根を備える場合は、光量減少動作と共にシャッタ動作が行なわれ、絞り羽根及びＮＤフィルタ羽根を備える場合は、絞り動作と共に光量減少動作が行なわれ、シャッタ羽根及び絞り羽根並びにＮＤフィルタ羽根を備える場合は、絞り動作及び光量減少動作並びシャッタ動作が行なわれる。
そして、少なくとも二つの羽根が開口部を挟む両側において揺動自在に配置される場合には、それぞれ開口部から退避した位置にあるときに収容される領域も、従来に比べて両側を狭くすることができ、装置をより幅狭化並びに小型化することができる。
【発明の効果】
【００１５】
上記のように、本発明のカメラ用光量調整装置によれば、基板に形成される露光用の開口部が撮像素子の撮像面に基づいて略矩形形状に形成され、基板に揺動自在に支持される羽根部材が開口部に臨む位置にあるとき少なくとも開口部を覆うように略矩形の外輪郭をなすように形成されることにより、従来のような真円形状の開口部に比べて、羽根の外輪郭を小さくすることができ、それ故に、羽根部材が開口部から退避した位置にあるときに収容される領域も従来に比べて狭くすることができ、装置を幅狭化、小型化することができる。よって、小型のデジタルカメラ等に適したカメラ用光量調整装置が得られる。
【発明を実施するための最良の形態】
【００１６】
以下、本発明の最良の実施形態について、添付図面を参照しつつ説明する。
図１ないし図４は、本発明に係るカメラ用光量調整装置の一実施形態（カメラ用シャッタ装置）を示すものであり、図１は装置を撮像素子側から見た平面図、図２は装置の断面図、図３は羽根部材が開口部から退避した位置にある状態を示す撮像素子側から見た平面図、図４は羽根部材が開口部に臨む位置にある状態を示す撮像素子側から見た平面図である。
【００１７】
この装置は、図１及び図２に示すように、外輪郭が略矩形形状をなす基板としての地板１０及び裏板２０、地板１０に対して揺動自在に設けられた羽根部材としてのシャッタ羽根３０、シャッタ羽根３０を駆動する駆動源としての電磁アクチュエータ４０等を備えている。
【００１８】
地板１０は、図１ないし図４に示すように、露光用の開口部１１ａを画定するプレート１１、後述する駆動ピン４１ａを通す扇状の貫通孔１２、シャッタ羽根３０を揺動自在に支持する支軸１３を有する。プレート１１の開口部１１ａは、図１に示すように、略矩形形状に形成されており、この輪郭は、デジタルカメラの撮像素子であるＣＣＤの撮像面と略相似形状となるように設定されている。
【００１９】
裏板２０は、図１ないし図４に示すように、光軸方向Ｌにおいて所定の間隔をあけて地板１０に連結されており、開口部１１ａと同軸上に形成された露光用の開口部２０ａ、駆動ピン４１ａを通す円弧状の長孔２０ｂ、支軸１３を通す円孔２０ｃを有する。
開口部２０ａは、図１に示すように、略矩形形状に形成されており、この輪郭は、前述同様にＣＣＤの撮像面と略相似形状となるように設定されている。また、開口部２０ａは、開口部１１ａと略同一か、あるいは、開口部１１ａよりも少し大きく形成されている。
上記裏板２０とプレート１１とにより、シャッタ羽根３０を揺動自在に収容する羽根室Ｒ及び露光用の開口部２０ａ，１１ａを画定するべく、光軸方向Ｌに離隔して配列された二つのプレートが構成されている。
【００２０】
シャッタ羽根３０は、図２ないし図４に示すように、薄板の金属板等により、支軸１３を通す円孔３０ａ、駆動ピン４１ａを通す長孔３０ｂ、開口部１１ａ，２０ａを覆える面積をもつ略矩形の外輪郭をもつ遮蔽部３０ｃ等を有するにように形成されている。
遮蔽部３０ｃは、図４に示すように、シャッタ羽根３０が開口部１１ａ，２０ａに臨む閉じ位置にあるとき開口部１１ａ，２０ａを完全に遮蔽できると共に、開口部１１ａ，２０ａから退避した開き位置から閉じ位置に向けて移動する際に一端閉じ動作を始めるとその動作の途中で再び開放する領域が生じない形状でかつ最小限の外輪郭をなすように形成されている。
【００２１】
電磁アクチュエータ４０は、異なる極性（Ｎ極及びＳ極）に着磁された円柱状のロータ４１、ロータ４１を回動自在に支持する枠部材４２、枠部材４２に巻回された励磁用のコイル４３、ロータ４１と同軸上において枠部材４２に嵌めこまれた円筒状のヨーク４４、枠部材４２に挿着された鉄ピン４５等により形成されている。
ロータ４１には、その回転軸から偏倚した位置において、回転駆動力を外部に出力するための駆動ピン４１ａが一体的に形成されている。そして、電磁アクチュエータ４０は、ネジ等により、枠部材４２を介して地板１０に固定されている。
【００２２】
この装置の動作については、シャッタ動作を行なうとき、図３に示すようにシャッタ羽根３０が退避位置（開き位置）にある状態から、電磁アクチュエータ４０が通電されて、ロータ４１が反時計回りに回転すると、図４に示すように、シャッタ羽根３０が反時計回りに回転して、その遮蔽部３０ｃが開口部１１ａ，２０ａを完全に閉じた位置で停止する。一方、電磁アクチュエータ４０が逆通電されることで、シャッタ羽根３０は元の退避位置（開き位置）に戻る。
【００２３】
この装置によれば、開口部１１ａ，２０ａが略矩形形状に形成されかつシャッタ羽根の遮蔽部３０ｃも略矩形形状に形成されているため、図５に示すように、従来のように開口部１１ａ´，２０ａ´が真円に形成されかつシャッタ羽根（遮蔽部）３０´も円形に形成される場合に比べて、羽根の外輪郭を小さくすることができる。したがって、シャッタ羽根３０が退避位置にあるときに収容される基板（地板１０、裏板２０）の領域も、従来のように形成される基板（地板１０´、裏板２０´）に比べて寸法Ｗだけ狭くすることができ、それ故に、装置を幅狭化、小型化できる。
【００２４】
図６ないし図８は、本発明に係るカメラ用光量調整装置の他の実施形態を示すものであり、前述の実施形態と同一の構成については同一の符号を付してその説明を省略する。尚、図６は装置を撮像素子側から見た平面図、図７は羽根部材が開口部から退避した位置にある状態を示す撮像素子側から見た平面図、図８は羽根部材が開口部に臨む位置にある状態を示す撮像素子側から見た平面図である。
【００２５】
この装置においては、図６ないし図８に示すように、羽根部材としてのＮＤフィルタ羽根１３０が、地板１０に対して揺動自在に設けられている。
ＮＤフィルタ羽根１３０は、図７及び図８に示すように、薄板の金属板等により形成された羽根１３１とこの羽根１３１に接合されたフィルム状のＮＤフィルタ１３２とにより形成されている。
【００２６】
羽根１３１は、支軸１３を通す円孔１３１ａ、駆動ピン４１ａを通す長孔１３１ｂ、開口部１１ａ，２０ａを覆える面積をもつ略矩形の外輪郭をなす覆い部１３１ｃ、覆い部１３１ｃに形成された略矩形形状の開口１３１ｄ等を有するにように形成されている。
覆い部１３１ｃは、図８に示すように、ＮＤフィルタ羽根１３０が開口部１１ａ，２０ａに臨む閉じ位置にあるとき開口部１１ａ，２０ａを完全に覆うことができると共に、開口部１１ａ，２０ａから退避した位置から臨む位置に向けて移動する際に一端覆い始めるとその動作の途中で再び開放する領域が生じない形状でかつ最小限の外輪郭をなすように形成されている。開口１３１ｄは、開口部１１ａ，２０ａよりも若干大きめに形成されている。
【００２７】
この装置の動作については、光量減少動作を行なうとき、図７に示すようにＮＤフィルタ羽根１３０が退避位置にある状態から、電磁アクチュエータ４０が通電されて、ロータ４１が時計回りに回転すると、図８に示すように、ＮＤフィルタ羽根１３０が時計回りに回転して、その覆い部１３１ｃが開口部１１ａ，２０ａを完全に覆う位置で停止する。これにより、開口部１１ａ，２０ａはＮＤフィルタ１３２に覆われて、通過する光量が所定レベルに減少させられる。一方、電磁アクチュエータ４０が逆通電されることで、ＮＤフィルタ羽根１３０は元の退避位置に戻る。
【００２８】
この装置によれば、開口部１１ａ，２０ａが略矩形形状に形成されかつＮＤフィルタ羽根の覆い部１３１ｃも略矩形形状に形成されているため、図９に示すように、従来のように開口部１１ａ´，２０ａ´が真円に形成されかつＮＤフィルタ羽根（覆い部及び開口１３１ｄ´）１３０´も円形に形成される場合に比べて、羽根の外輪郭を小さくすることができる。したがって、ＮＤフィルタ羽根１３０が退避位置にあるときに収容される基板（地板１０、裏板２０）の領域も、従来のように形成される基板（地板１０´、裏板２０´）に比べて寸法Ｗだけ狭くすることができ、それ故に、装置を幅狭化、小型化できる。
【００２９】
図１０ないし図１４は、本発明に係るカメラ用光量調整装置のさらに他の実施形態を示すものであり、前述の実施形態と同一の構成については同一の符号を付してその説明を省略する。尚、図１０は装置を撮像素子側から見た平面図、図１１は装置の断面図、図１２は二つの羽根部材が開口部から退避した位置にある状態を示す撮像素子側から見た平面図、図１３は一方の羽根部材が開口部に臨む位置にある状態を示す撮像素子側から見た平面図、図１４は二つの羽根部材が開口部に臨む位置にある状態を示す撮像素子側から見た平面図である。
【００３０】
この装置は、図１０及び図１１に示すように、外輪郭が略矩形形状をなす基板としての地板１１０及び裏板１２０、地板１１０に対して揺動自在に設けられた羽根部材としてのシャッタ羽根３０及びＮＤフィルタ羽根１３０、シャッタ羽根３０及びＮＤフィルタ羽根１３０を各々駆動する駆動源としての二つの電磁アクチュエータ４０等を備えている。
【００３１】
地板１１０は、図１０ないし図１４に示すように、露光用の開口部１１１ａを画定するプレート１１１、２つの駆動ピン４１ａを通す扇状の２つの貫通孔１１２、シャッタ羽根３０及びＮＤフィルタ羽根１３０を揺動自在に支持する２つの支軸１１３を有する。プレート１１１の開口部１１１ａは、図１０に示すように、略矩形形状に形成されており、この輪郭は、前述同様にＣＣＤの撮像面と略相似形状となるように設定されている。
【００３２】
裏板１２０は、図１０ないし図１４に示すように、光軸方向Ｌにおいて所定の間隔をあけて地板１１０に連結されており、開口部１１１ａと同軸上に形成された露光用の開口部１２０ａ、２つの駆動ピン４１ａを通す円弧状の２つの長孔１２０ｂ、２つの支軸１１３を通す２つの円孔１２０ｃを有する。開口部１２０ａは、図１０に示すように、略矩形形状に形成されており、この輪郭は、前述同様にＣＣＤの撮像面と略相似形状となるように設定されている。また、開口部１２０ａは、開口部１１１ａと略同一か、あるいは、開口部１１１ａよりも少し大きく形成されている。
上記裏板１２０とプレート１１１とにより、シャッタ羽根３０及びＮＤフィルタ羽根１３０を揺動自在に収容する羽根室Ｒ及び露光用の開口部１２０ａ，１１１ａを画定するべく、光軸方向Ｌに離隔して配列された二つのプレートが構成されている。
【００３３】
この装置の動作については、光量減少動作を行なうとき、図１２に示すようにＮＤフィルタ羽根１３０が退避位置にある状態から、一方の電磁アクチュエータ４０が通電されてそのロータ４１が時計回りに回転すると、図１３に示すように、ＮＤフィルタ羽根１３０が時計回りに回転して、その覆い部１３１ｃが開口部１１１ａ，１２０ａを完全に覆う位置で停止する。これにより、開口部１１１ａ，１２０ａはＮＤフィルタ１３２に覆われて、通過する光量が所定レベルに減少させられる。
【００３４】
続けて、シャッタ動作を行なうときは、図１３に示すようにシャッタ羽根３０が退避位置（開き位置）にある状態から、他方の電磁アクチュエータ４０が通電されてそのロータ４１が反時計回りに回転すると、図１４に示すように、シャッタ羽根３０が反時計回りに回転して、その遮蔽部３０ｃが開口１３１ｄ及び開口部１１１ａ，１２０ａを完全に閉じた位置で停止する。一方、両方の電磁アクチュエータ４０が逆通電されることで、シャッタ羽根３０及びＮＤフィルタ羽根１３０は元の退避位置（開き位置）に戻る。
【００３５】
この装置によれば、開口部１１１ａ，１２０ａが略矩形形状に形成されかつシャッタ羽根の遮蔽部３０ｃ並びにＮＤフィルタ羽根の覆い部１３１ｃも略矩形形状に形成されているため、図１５に示すように、従来のように開口部１１１ａ´，１２０ａ´が真円に形成され、シャッタ羽根（遮蔽部）３０´も円形に形成され、さらに、ＮＤフィルタ羽根（覆い部１３１ｃ´及び開口１３１ｄ´）１３０´も円形に形成される場合に比べて、シャッタ羽根３０及びＮＤフィルタ羽根１３０の外輪郭を小さくすることができる。
したがって、シャッタ羽根３０及びＮＤフィルタ羽根１３０が退避位置にあるときに収容される基板（地板１１０、裏板１２０）の領域も、従来のように形成される基板（地板１１０´、裏板１２０´）に比べて寸法（Ｗ＋Ｗ）だけ狭くすることができ、それ故に、装置を幅狭化、小型化できる。
【００３６】
上記実施形態においては、裏板２０，１２０に形成する開口部２０ａ，１２０ａ及びプレート１１，１１１に形成する開口部１１ａ，１１１ａを共に矩形形状にしたが、これに限定されるものではなく、被写体側の開口部で絞られた撮影光は、光軸方向に羽根室分の距離を隔てた撮像素子側の開口部へ斜めに向かうので、被写体側の裏板２０，１２０の開口部２０ａ，１２０ａを、撮像素子側のプレート１１，１１１の開口部１１ａ，１１１ａよりも若干大きめの円形に形成してもよい。
また同様に、開口部２０ａ，１２０ａと開口部１１ａ，１１１ａを共に矩形形状とした場合でも、開口部２０ａ，１２０ａを若干大きめに形成してもよい。
【００３７】
上記実施形態においては、羽根部材として、シャッタ羽根３０、ＮＤフィルタ羽根１３０を示したが、これに限定されるものではなく、開口部１１ａ，１１１ａ，２０ａ，１２０ａを所定の開口面積に絞る絞り開口をもつ絞り羽根を採用してもよく、又、複数の羽根部材を備える装置として、シャッタ羽根３０とＮＤフィルタ羽根１３０とを備える構成を示したが、これに限定されるものではなく、シャッタ羽根３０と絞り羽根、絞り羽根とＮＤフィルタ羽根１３０、シャッタ羽根３０と絞り羽根とＮＤフィルタ羽根１３０とを、それぞれ備える構成において、本発明を採用してもよい。
【産業上の利用可能性】
【００３８】
以上述べたように、本発明のカメラ用露光調整装置は、ＣＣＤ等の撮像素子を備えたものであれば、デジタルカメラ（デジタルスチルカメラ、デジタルビデオカメラ）、携帯電話機、携帯型パーソナルコンピュータ、ＰＤＡ等の携帯情報端末機に搭載のモバイルカメラ等に使用することができる。
【図面の簡単な説明】
【００３９】
【図１】本発明に係るカメラ用露光調整装置の一実施形態を示す平面図である。
【図２】図１に示す装置の断面図である。
【図３】図１に示す装置において、シャッタ羽根が開口部から退避した位置にある状態を示す平面図である。
【図４】図１に示す装置において、シャッタ羽根が開口部に臨む位置にある状態を示す平面図である。
【図５】図１に示す装置において、本発明の効果を説明するための平面図である。
【図６】本発明に係るカメラ用露光調整装置の他の実施形態を示す平面図である。
【図７】図６に示す装置において、ＮＤフィルタ羽根が開口部から退避した位置にある状態を示す平面図である。
【図８】図６に示す装置において、ＮＤフィルタ羽根が開口部に臨む位置にある状態を示す平面図である。
【図９】図６に示す装置において、本発明の効果を説明するための平面図である。
【図１０】本発明に係るカメラ用露光調整装置のさらに他の実施形態を示す平面図である。
【図１１】図１０に示す装置の断面図である。
【図１２】図１０に示す装置において、シャッタ羽根及びＮＤフィルタ羽根が開口部から退避した位置にある状態を示す平面図である。
【図１３】図１０に示す装置において、ＮＤフィルタ羽根が開口部に臨む位置に移動した状態を示す平面図である。
【図１４】図１０に示す装置において、シャッタ羽根及びＮＤフィルタ羽根が開口部に臨む位置にある状態を示す平面図である。
【図１５】図１０に示す装置において、本発明の効果を説明するための平面図である。
【符号の説明】
【００４０】
１０，１１０  地板（基板）
１１，１１１  プレート
１１ａ，１１１ａ  開口部
２０，１２０  裏板（プレート）
２０ａ，１２０ａ  開口部
３０  シャッタ羽根（羽根部材）
３０ｃ  遮蔽部
４０  電磁アクチュエータ
４１  ロータ
４１ａ  駆動ピン
４２  枠部材
４３  コイル
４４  ヨーク
４５  鉄ピン
１３０  ＮＤフィルタ羽根（羽根部材）
１３１  羽根
１３２  ＮＤフィルタ
１３１ｃ  覆い部
１３１ｄ  開口
Ｌ  光軸方向
Ｒ  羽根室
【図１】
2005106970.tif 000003
【図２】
2005106970.tif 000004
【図３】
2005106970.tif 000005
【図４】
2005106970.tif 000006
【図５】
2005106970.tif 000007
【図６】
2005106970.tif 000008
【図７】
2005106970.tif 000009
【図８】
2005106970.tif 000010
【図９】
2005106970.tif 000011
【図１０】
2005106970.tif 000012
【図１１】
2005106970.tif 000013
【図１２】
2005106970.tif 000014
【図１３】
2005106970.tif 000015
【図１４】
2005106970.tif 000016
【図１５】
2005106970.tif 000017